(57)【要約】      （修正有）【課題】外脚と外脚の間に設けている空隙から漏洩した磁束が金属端子と鎖交しても、金属端子に渦電流が発生を抑えた、損失が少ない面実装インダクタを提供する。【解決手段】ポットコア２０とポットコア３０とを、外脚の間に空隙を設けて中脚を突き合わせて配置した内部に巻線を配置した面実装インダクタ１０において、それぞれのポットコアの底面縁部には２箇所の凹部が設けられ、先端部が略直角に曲げられた断面コの字状の一対の金属端子５０ａ、５０ｂが、先端部がそれぞれのポットコアの一方の凹部に配置されて係止され、一対の金属端子５０ａ、５０ｂには、前記空隙の幅よりも幅の広いスリット５１を、空隙に沿って設ける。【選択図】図１
2015222779.tif 000002
【特許請求の範囲】
【請求項１】
ポットコアとポットコアとを、外脚の間に空隙を設けて中脚を突き合わせて配置した内部に巻線を配置した面実装インダクタにおいて、
それぞれのポットコアの底面縁部には２箇所の凹部が設けられ、
先端部が略直角に曲げられた断面コの字状の一対の金属端子が、先端部がそれぞれのポットコアの一方の凹部に配置されて係止され、
前記金属端子には、前記空隙の幅よりも幅の広いスリットが、前記空隙に沿って設けられていることを特徴とする面実装インダクタ。
【請求項２】
前記凹部は、ポットコアの中心に向かって深さが深くなっており、
前記金属端子は、先端部の間の間隔が先端に向かって狭くなっている
請求項１に記載の面実装インダクタ。
【請求項３】
前記巻線の端末部を、
ポットコアの側壁に設けられた切り欠きから引き出して、
前記金属端子に設けられた端末押さえ部を折り曲げて押止して接続した
請求項１または請求項２のいずれかに記載の面実装インダクタ。
【請求項４】
前記巻線は、外外巻されている
請求項１乃至請求項３のいずれかに記載の面実装インダクタ。
【発明の詳細な説明】
【技術分野】
【０００１】
本発明の面実装インダクタは、磁性体コアの間に巻線配置した構造のインダクタに関する。
【０００２】
電子機器等のＤＣＤＣコンバータに用いるチョークコイルとして、インダクタが使用されている。
図５は、従来の面実装インダクタを説明するための斜視図である。図５に示すように、従来の面実装インダクタ６０は、外脚と中脚とを有する、断面がＥ字状のポットコア７０と８０とを、中脚どうし、外脚どうしを突き合わせて組み合わせた内部に、絶縁被覆された導線を巻回した巻線を収納している。
巻線の端末部９１ａ、９１ｂ（図示せず）は外脚に設けられた切り欠き部から引き出される。
ポットコア７０とポットコア８０との底面縁部には、２箇所の凹部がそれぞれ設けられており、ポットコア７０に設けられた凹部とポットコア８０に設けられた凹部とに、先端部が略直角に折り曲げられた断面コの字形状の金属端子１００ａ、１００ｂの先端部がそれぞれ係止するように配置されている。
巻線端末９１ａ、９１ｂ（図示せず）が、金属端子１００ａ、１００ｂにそれぞれ設けられた端末押さえ部９２で押止されて電気的に接続される。
【０００３】
ＤＣＤＣコンバータは、高い変換効率が求められている。変換効率はチョークコイルの特性にも影響されるため、部品メーカーは損失の少ないインダクタの開発に鎬を削っている。
【先行技術文献】
【特許文献】
【０００４】
【特許文献１】特開２００５−１４２４５９号公報
【発明の概要】
【発明が解決しようとする課題】
【０００５】
一般的にインダクタは、良好な直流重畳特性を得るために磁路の一部に空隙を設けている。上記した従来の面実装インダクタでは、外脚と外脚の間に空隙を設けている。この空隙からは、磁束が漏洩する。漏洩した磁束が金属端子と鎖交すると、金属端子に渦電流が発生して損失が発生する。この損失は渦電流損と呼ばれ、変換効率の低下の原因の一つである。
【課題を解決するための手段】
【０００６】
本発明の面実装インダクタは、ポットコアとポットコアとを、外脚の間に空隙を設けて中脚を突き合わせて配置した内部に巻線を配置した面実装インダクタにおいて、それぞれのポットコアの底面縁部には２箇所の凹部が設けられていて、先端部が略直角に曲げられた断面コの字状の一対の金属端子が、先端部がそれぞれのポットコアの一方の凹部に配置されて係止され、前記金属端子には、前記空隙の幅よりも幅の広いスリットが、前記空隙に沿って設けたことを特徴とする。
【発明の効果】
【０００７】
本発明の面実装インダクタによれば、金属端子における渦電流の発生が抑えられるので、損失の少ない面実装インダクタとすることができる。
【図面の簡単な説明】
【０００８】
【図１】本発明の面実装インダクタの斜視図である。
【図２】図１の面実装インダクタの断面図である。
【図３】図１の面実装インダクタの分解斜視図である。
【図４】本発明の面実装インダクタと従来の面実装インダクタを用いたＤＣＤＣコンバータの変換効率を示すグラフである。
【図５】従来の面実装インダクタの斜視図である。
【発明を実施するための形態】
【実施例】
【０００９】
以下、図面を用いて本発明の面実装インダクタの一実施例を説明する。図１は本発明の面実装インダクタの斜視図、図２は図１におけるＡ−Ａ断面図、図３は分解斜視図を示す。図１〜３に示すように、面実装インダクタ１０は、ポットコア２０、３０と、絶縁被覆された導線を巻回した巻線４０と、一対の金属端子５０ａ、５０ｂとからなる。
【００１０】
ポットコア２０、３０は、中脚２３と外脚２４、中脚３３と外脚３４をそれぞれ備えた断面Ｅ字状であり、外脚２４、３４には、２箇所の切り欠き２１ａ、２１ｂと、３１ａ、３１ｂとがそれぞれ設けられている。また、中脚２３と外脚３３との長さは、外脚２４と外脚３４との長さより、長くなっている。
ポットコア２０とポットコア３０は、切り欠き２１ａと３１ａ、２２ａと２２ｂの位置を合わせて、中脚２３と３３および外脚２４、３４をそれぞれ突き合わせ、巻線４０の端末部４１ａ、４１ｂがそれぞれの切り欠き２１ａ、３１ａと切り欠き２１ｂ、３１ｂから引き出されるように、巻線４０を内部に収納する。このとき、中脚２３と３３との長さより外脚２４と３４との長さが長いので、外脚２４と外脚３４の間には、間隙ｄが生じる。
金属端子５０ａ、５０ｂは、先端部が折り曲げられた断面コの字形状で、側面部に間隙ｄよりも幅の広いスリット５１が設けてある。
ポットコア２０、３０の底面縁部には、それぞれ２箇所の凹部２２ａと２２ｂ、３２ａと３２ｂ、が設けられており、凹部２２ａと凹部３２ａ、凹部２２ｂと凹部３２ｂとに、金属端子５０ａ、５０ｂの先端部がそれぞれ配置されて係止されている。このとき、間隙ｄの位置は、スリット５１に沿った位置となっている。
巻線端末４１ａ、４１ｂが、金属端子５０ａ、５０ｂにそれぞれ設けられた端末押さえ部５２で押止されて電気的に接続される。
【００１１】
次に、面実装インダクタの製造方法を説明する。
ポットコア３０の中脚３３の先端部にエポキシ系接着剤を塗布し、予め巻線された巻線４０の中心孔に中脚３３が挿入され、巻線の端末部４１ａ、４１ｂをポットコア３０の切り欠き部３１ａ、３１ｂから引き出されるように配置し、ポットコア２０の中脚２３とポットコア３０の中脚３３どうしを突き合わせる。
そして、凹部２２ａ、２２ｂ、３２ａ、３２ｂおよびポットコア２０、３０の側面に、エポキシ系接着剤を塗布し、金属端子５０ａを先端部が凹部２２ａと３２ａ、金属端子５０ｂを先端部が凹部２２ｂと２２ｂに、それぞれ嵌合するように配置する。
最後に、巻線４０の端末部４１ａ、４１ｂを金属端子５０ａ、５０ｂにそれぞれ設けられた端末押さえ部５２を折り曲げて押止して、はんだ付け、熱圧着、溶接等で、巻線端末４１ａ、４１ｂと金属端子５０ａ、５０ｂと電気的にそれぞれ接続する。
【００１２】
上記した面実装インダクタは、間隙ｄに掛かる金属端子の面積が小さいため、渦電流の発生が少なく、変換効率の高い面実装インダクタとすることができる。なお巻線は、巻線の端末部を切り欠き部からポットコア外周に引き出すため、巻線の巻き始めと巻き終わりとをそれぞれ巻線外周から引き出した、いわゆる外外巻（α巻）である方が好ましい。
さらに外外巻の巻線を用いると、一方の端末部と他方の端末部の引き出しの高さを互い違いにできるので、ポットコア２０、３０に個々に２箇所設けている切り欠き部２１ａ、２１ｂと、２１ａ、３１ｂとを、それぞれの組のどちらか１箇所のみにしてもよい。
【００１３】
図４は、入力電圧１２Ｖ、出力電圧５Ｖの降圧型のＤＣＤＣコンバータにおいて、本発明の面実装インダクタを用いたＤＣＤＣコンバータと、従来の面実装インダクタを用いたＤＣＤＣコンバータとの、変換効率を比較するためのグラフである。図において、横軸は電流［ｍＡ］、縦軸は変換効率［％］、実線は本発明の面実装インダクタを示し、点線は従来の面実装インダクタを示す。
図２の結果から明らかなように、本発明の面実装インダクタを用いたＤＣＤＣコンバータは、従来の面実装インダクタを用いたＤＣＤＣコンバータに比べて変換効率が僅かに改善していることがわかる。
【００１４】
なお、金属端子の先端部の両端の間隔を先端部に向かって狭く、凹部の深さをポットコアの中心に向かって深くして、金属端子の先端部が嵌め込まれるようにしてもよい。ポットコアから金属端子が脱落しにくくなり、接着強度を高めることができる。
また、上記した例では、ポットコアとポットコアとを組合せたが、ポットコアと平板とを組合せても良い。
【符号の説明】
【００１５】
１０、６０  面実装インダクタ
２０、３０、７０、８０  ポットコア
２１ａ、２１ｂ  切り欠き部
２２ａ、２２ｂ、３２ａ、３２ｂ  凹部
２３、３３  中脚
２４、３４  外脚
４０  巻線
５０ａ、５０ｂ、１００ａ、１００ｂ  金属端子
５１  スリット
５２、９２  端末押さえ部
【図１】
2015222779.tif 000003
【図２】
2015222779.tif 000004
【図３】
2015222779.tif 000005
【図４】
2015222779.tif 000006
【図５】
2015222779.tif 000007